(57)【要約】【課題】組立て性が向上し、製造組立て時の視度調整が簡単にできるファインダ視度調整装置を提供すること。【解決手段】被写体を観察するためのファインダ光学系のファインダ視度調整装置において、前記ファインダ光学系のうち視度調整に関わる視度調整レンズにファインダ光軸と垂直な方向に延びた一対の取り付け部を有し、視度調整レンズを保持するためのレンズ保持部にファインダ光軸方向に延びた第１の高さを有する一対の第１突部と、該第１突部と高さが異なる一対の第２突部とを備え、前記取り付け部と前記第１突部が対応するように、また前記視度調整レンズをファインダ光軸を中心として１８０°回転させた状態で前記取り付け部と前記第２突部が対応するように、前記一対の取り付け部と前記一対の第１突部と前記一対の第２突部とを配置させたこと。【選択図】　　　図１
2004054011.tif 000002
【特許請求の範囲】
【請求項１】
被写体を観察するためのファインダ光学系のファインダ視度調整装置において、前記ファインダ光学系のうち視度調整に関わる視度調整レンズにファインダ光軸と垂直な方向に延びた一対の取り付け部を有し、前記視度調整レンズを保持するためのレンズ保持部にファインダ光軸方向に延びた第１の高さを有する一対の第１突部と、該第１突部と高さが異なる一対の第２突部とを備え、前記取り付け部と前記第１突部が対応するように、また前記視度調整レンズをファインダ光軸を中心として１８０°回転させた状態で前記取り付け部と前記第２突部が対応するように、前記一対の取り付け部と前記一対の第１突部と前記一対の第２突部とを配置させたことを特徴とするファインダ視度調整装置。
【請求項２】
請求項１記載に従う前記視度調整レンズは、２辺の直線とそれらをつなぐ曲線とからなる略小判形状の形をしていることを特徴とするファインダ視度調整装置。
【請求項３】
請求項１記載に従う前記一対の取り付け部は、略小判形状の２辺の直線の延長線の間に収まるように配設されていることを特徴とするファインダ視度調整装置。
【請求項４】
被写体を観察するためのファインダ光学系のうち視度調整に関わる視度調整レンズにファインダ光軸と垂直な方向に延びた一対の取り付け部を有し、視度調整レンズを保持するためのレンズ保持部にファインダ光軸方向に延びた第１の高さを有する一対の第１突部と、該第１突部と高さが異なる一対の第２突部とを備え、前記取り付け部と前記第１突部が対応するように、また前記視度調整レンズをファインダ光軸を中心として１８０°回転させた状態で前記取り付け部と前記第２突部が対応するように、前記一対の取り付け部と前記一対の第１突部と前記一対の第２突部とを配置させ、前記一対の取り付け部と前記一対の第１突部とを係合、あるいは前記一対の取り付け部と前記一対の第２突部とを係合させて前記視度調整レンズを固定したことを特徴とするファインダ視度調整方法。
【発明の詳細な説明】
【０００１】
【発明の属する技術分野】
本発明は、カメラ製造組立て時のファインダ視度調整装置、及び視度調整方法に関するものである。
【０００２】
【従来の技術】
ファインダ装置の製造段階での視度調整機構の構成が、例えば特開平０７−１１０４４２公報号で提案されている。これは、ファインダ本体（接眼レンズ支持枠）の壁に光軸方向と直交した複数の溝を設け、接眼レンズ側に、この溝と係合する突起を設けることを開示している。
【０００３】
【発明が解決しようとする課題】
しかしながら、従来は接眼レンズをレンズ支持枠の溝に入れ込み視度調をおこなう為、組み立てにくく調整しづらかった。
【０００４】
本発明はこのような事情に鑑みてなされたもので、組み立て性が向上し、視度調整が簡単にできるファインダ視度調整装置を提供することを第１の目的とする。
【０００５】
【課題を解決するための手段】
本発明は、前記目的を達成するために、請求項１では、被写体を観察するためのファインダ光学系のファインダ視度調整装置において、前記ファインダ光学系のうち視度調整に関わる視度調整レンズにファインダ光軸と垂直な方向に延びた一対の取り付け部を有し、視度調整レンズを保持するためのレンズ保持部にファインダ光軸方向に延びた第１の高さを有する一対の第１突部と、該第１突部と高さが異なる一対の第２突部とを備え、前記取り付け部と前記第１突部が対応するように、また前記視度調整レンズをファインダ光軸を中心として１８０°回転させた状態で前記取り付け部と前記第２突部が対応するように、前記一対の取り付け部と前記一対の第１突部と前記一対の第２突部とを配置させたことである。こうすることで、一つのレンズで２通りの組込みが簡単にでき、工程での視度調整の簡略化を図ることが可能となる。また、複雑な調整機構を削減できる為低コスト化を図ることが可能となる。
【０００６】
請求項２，３では、視度調整レンズは、２辺の直線とそれらをつなぐＲ曲線とからなる略小判形状をしており、前記レンズの光軸に垂直な一対の取り付け部は略小判形状の２辺の直線の延長線の間に収まるように配設され、前記ガイド部材はファインダ光束の略対角方向に配設したことにより限られたスペース内での視度調整を可能とし、カメラの小型化を図ることを可能としている。
【０００７】
あるいは又、被写体を観察するためのファインダ光学系のうち視度調整に関わる視度調整レンズにファインダ光軸と垂直な方向に延びた一対の取り付け部を有し、視度調整レンズを保持するためのレンズ保持部にファインダ光軸方向に延びた第１の高さを有する一対の第１突部と、該第１突部と高さが異なる一対の第２突部とを備え、前記取り付け部と前記第１突部が対応するように、また前記視度調整レンズをファインダ光軸を中心として１８０°回転させた状態で前記取り付け部と前記第２突部が対応するように、前記一対の取り付け部と前記一対の第１突部と前記一対の第２突部とを配置させ、前記一対の取り付け部と前記一対の第１突部とを係合、あるいは前記一対の取り付け部と前記一対の第２突部とを係合させて前記視度調整レンズを固定したファインダ視度調整方法にある。
【０００８】
【発明の実施の形態】
本実施例はファインダ装置の工程での視度調節機構について図１から図９を基にして説明する。まずはカメラ全体の構成について、図７から図９で説明しておく。
【０００９】
図９はカメラ全体の斜視図である。６０はカメラ本体、１はファインダ装置であり、５は被写体を確認するための対物レンズ窓、５３は被写体までの距離や被写体周辺の明るさを測定するＡＥ／ＡＦ装置である。６２は被写体を照らすための閃光発行装置。６３はレリーズボタン。６１は被写体を写しこむ撮影レンズとなっている。
【００１０】
図７は図９のカメラの一部に露出しているファインダ装置の斜視図である。１はファインダ装置、５は対物レンズ、５３はＡＥ／ＡＦ装置であり、各機能については以下に説明する。
【００１１】
図８はファインダ装置の分解斜視図である。１はファインダ装置であり、撮影被写体を確認するための各レンズ群、被写体までの距離や被写体周辺の明るさを測定するＡＥ／ＡＦ装置、撮影者が自らの視度を調節するための視度調節機構等の各部品で構成されている。
【００１２】
５３は被写体までの距離や被写体周辺の明るさを測定するＡＥ／ＡＦ装置である。５４は平板カムで平板にカム溝がきってあり、ファインダズーム駆動は平板カム５４により、不図示の撮影レンズ機構と連動して光軸と直交する方向に移動する。以下それに関わる機構を簡単に説明していく。
【００１３】
５，６，７，８はそれぞれファインダ光学系を構成するレンズユニットであり、特に、５は製造組立て時に，視度調整のための視度調整レンズとなっている。９はプリズム、９ａはプリズムカバー、５０はダハプリズム、５１は接眼レンズとなっており、被写体側からの被写体光はレンズ５、レンズ６、レンズ７、レンズ８を通り、更にプリズム９、ダハプリズム１０を介して屈折反射されて接眼レンズ５１まで導かれる。
【００１４】
６ａはレンズ６を固定する為のレンズホルダー、７ａはレンズ７に組み込まれる有害な光線を遮断するマスク、８ａはレンズ８に組み込まれる有害な光線を遮断するマスクである。４はレンズ６を固定したレンズホルダー６ａとレンズ７とレンズ８を光軸方向へガイドする為のガイド部材である。
【００１５】
７ｂは引っ張りバネ、８ｂはスプリングバネとなっており、引っ張りバネ７ｂはレンズ６とレンズ７に引っかかるように構成され、レンズホルダー６ａとレンズ７同士を常に引っ張り合う方向に付勢している。スプリングバネ８ｂはレンズ８とレンズ７との間に入り込むように構成され、レンズ８とレンズ７同士を常に引き離す方向に付勢している。
【００１６】
また、レンズホルダー６ａ、レンズ７、レンズ８にはそれぞれピンが構成されており、平板カム５４のカム溝にレンズ６を固定しているレンズホルダー６ａにはピン６ｂ、レンズ７にはピン７ｃ、レンズ８にはピン８ｃをそれぞれ嵌合させている。
【００１７】
１ｂはファインダ装置１の一部を構成しているファインダベースであり、ダハプリズム５０や接眼レンズ５１、視度調整ノブ５２や視度調整ノブＳＰ５２ａで構成されている。視度調整ノブ５２のカム溝５２ｂに沿って接眼レンズ５１のガイド部材５１ａが動作すると、接眼レンズ５１が光軸方向へ移動する構成となっている。視度調整ノブ５２は、ファインダベース１ｂと不図示のリアカバーに挟まれて可動範囲を規制されている。ファインダベース１ｂにはクリック溝が設けられており、波ワッシャー５２ａによって軸方向へ力が加えられ、回転時フリクションを得る。
【００１８】
次に、本実施例のファインダ装置の工程での視度調整機構に関して以下に説明していく。図１は本実施例の工程視度調整に関わる最も先頭のレンズ５周辺の斜視図である。図２から図６は図１に関連する部分の正面図と側面図を表している。
【００１９】
図１の１はファインダ装置、１ａはファインダ装置１の一部の壁部でレンズ保持枠であり、段差ある２つの面Ａ、Ｂ（光軸と垂直）で構成されている。そして面Ａには突部２ａと２ｂが、面Ｂには突部３ａと３ｂが夫々設けられている。
【００２０】
５は本実施例の製造工程段階における視度調整に関わるレンズであり、このレンズは２辺の直線部５ｃと５ｄとそれらをつなぐＲ曲線部５ｅと５ｆとを有した略小判形状をしている。またこのレンズ５は光軸と交わる放射方向に延びた一対の取り付け部５ａと５ｂを備えている。図１で示す状態では、レンズ５の取り付け部５ａと突部２ａが嵌合し、レンズ５の取り付け部５ｂと突部２ｂがそれぞれ嵌入する図となっている。４はガイド部材で、レンズ５及びそれ以降に配置されたレンズを光軸方向移動時にガイドする部材であり、突部２ａと２ｂ、３ａと３ｂを避けるようにファインダ光束の略対角方向に配設してある。
【００２１】
図２はレンズ５で図１のレンズ５を正面から見た図を示している。前記一対の取り付け部５ａと５ｂは略小判形状の２辺の直線５ｃと５ｄの延長線の間に収まるように配設されている。図２（Ａ）は図２（Ｂ）をＣ方向からみた側面図、図２（Ｃ）はＤ方向からみた側面図となっている。
【００２２】
図３は、レンズ５をレンズ５の光軸中心に略１８０°回転させた図であり、図２のレンズ５の取り付け部５ａと５ｂの位置に対して、取り付け部５ａと５ｂが左右逆の略対向の位置にきている状態となる。図２において説明した通り、前記一対の取り付け部５ａと５ｂは略小判形状の２辺の直線５ｄと５ｃの延長線の間に収まるように配設されている。図３（Ａ）は図２（Ｂ）をＣ方向からみた側面図、図３（Ｃ）はＤ方向からみた側面図となっている。
【００２３】
図４はファインダ装置１のレンズ保持枠の対物レンズ取り付け面１ａを示した正面図である。４はレンズ５，６，７，８をガイドするガイド部材であり、突部２ａと２ｂ、３ａと３ｂを避けるようにファインダ光束の略対角方向に配設してある。また、前記対物レンズ取り付け面１ａは対物レンズ５の光軸方向に垂直で光軸方向に位置が異なり対をなすＡ面とＢ面の高さの異なる２面で構成されている。
【００２４】
図２と図３に示したいずれの状態でもレンズ５が組込みこみできる様に、取り付け面１ａのＡ面に突部２ａと２ｂ、Ｂ面に突部３ａと３ｂの二対の突部が配設されている。図４（Ａ）は図４（Ｂ）をＣ方向からみた側面図、図４（Ｃ）はＤ方向からみた側面図となっており、取り付け面Ａ面の突部２ａと２ｂに対して、面Ｂ面の突部３ａと３ｂは高く構成されている。そして、レンズ５が突部２ａと２ｂの突き当て部によって突き当てられ保持された状態（第一の状態）と、レンズ５が突部３ａと３ｂの突き当て部によって突き当てられ保持された状態と（第二の状態）とで、レンズ５の光軸方向の高さを異ならしめることにより、製造組立て時での視度調整が可能となるものである。
【００２５】
図５は、図４のファインダ装置１の対物レンズ取り付け面１ａに図２の状態のレンズ５が組み込まれた第一の状態を示している。レンズ５の光軸に垂直方向に延びた一対の取り付け部５ａと５ｂが、レンズ取り付け面１ａのＡ面に設けられた対をなす突部２ａと２ｂに取り付けられる。図５（Ａ）は図５（Ｂ）をＣ方向からみた側面図、図５（Ｃ）はＤ方向からみた側面図となっており、第一取り付け面Ａ面突部２ａと２ｂに、対物レンズ５の対物レンズ５の光軸に垂直方向に延びた一対の取り付け部５ａと５ｂが取り付いている第一の状態を示している。
【００２６】
一方、図６は図４のファインダ装置１のレンズ取り付け面１ａに図３のレンズ５が組み込まれた第二の状態を示している。レンズ５の光軸中心に略１８０°回転された時、レンズ５の一対の取り付け部５ａと５ｂが、レンズ取り付け面１ａのＢ面に形成された突部３ａと３ｂに取り付けられる。図６（Ａ）は図６（Ｂ）をＣ方向からみた側面図、図６（Ｃ）はＤ方向からみた側面図となっており、第二取り付け面Ｂ面突部３ａと３ｂに対物レンズ５の対物レンズ５の光軸に垂直な一対の取り付け部５ａと５ｂが取り付いている第二の状態を示している。
【００２７】
ここで図５（Ａ）、図５（Ｃ）、図６（Ａ）、図６（Ｂ）のそれぞれの側面図の対物レンズ５を比較してみれば解る通り、対物レンズ５を上記第一、第二状態と対物レンズ５の光軸方向に移動させた２通りの取り付けで２段階に視度を調整することが可能となる。
【００２８】
以上説明した通り、上記の構成にすることでレンズ５一枚で第一、第二状態と２通りの取り付けができ、レンズ５が光軸方向に移動可能となる為工程での視度調整が簡単にできる。また、前記本実施例ではレンズ５を第一、第二状態と２通りの取り付けで２段階に視度を調整する場合について説明したが、対物レンズの厚み方向のＲ曲面の違うものを複数枚用意すれば、複数段階に視度を調整することも可能になる。
【００２９】
【発明の効果】
以上説明したように、本発明に係るファインダ視度調整装置によれば、被写体を観察するためのファインダ光学系のファインダ視度調整装置において、前記ファインダ光学系のうち視度調整に関わる視度調整レンズにファインダ光軸と垂直な方向に延びた一対の取り付け部を有し、視度調整レンズを保持するためのレンズ保持部にファインダ光軸方向に延びた第１の高さを有する一対の第１突部と、該第１突部と高さが異なる一対の第２突部とを備え、前記取り付け部と前記第１突部が対応するように、また前記視度調整レンズをファインダ光軸を中心として１８０°回転させた状態で前記取り付け部と前記第２突部が対応するようにしたファインダ視度調整装置、あるいは、一対の取り付け部と前記一対の第１突部とを係合、あるいは前記一対の取り付け部と前記一対の第２突部とを係合させて前記視度調整レンズを固定したファインダ視度調整方法にある。
【００３０】
こうすることで、一つの視度調整レンズで２通りの組込みができ、対物レンズを光軸方向に移動可能となることで工程での視度調整が簡単な機構でできるようになり、工程での視度調整のスピードアップが図れることになる。また、簡単な機構にすることで部品点数の削減によるコストダウンがはかれた。
【００３１】
請求項２，３では視度調整レンズは、２辺の直線とそれらをつなぐＲ曲線とからなる略小判形状であり、視度レンズの光軸に垂直な一対の取り付け部は略小判形状の２辺の直線の延長線の間に収まるように配設され、前記ガイド部材はファインダ光束の略対角方向に配設したことで限られたスペース内での視度調整が可能となり、カメラの小型化を図ることが可能となる。
【図面の簡単な説明】
【図１】本発明に関する視度調整機構部分の対物レンズ周辺の斜視図。
【図２】本発明に関するファインダ対物レンズの正面図。
【図３】本発明に関する対物レンズを光軸中心に１８０°回転させた時の正面図。
【図４】本発明に関する対物レンズ支持枠の対物レンズ取り付け面の正面図。
【図５】本発明に関する対物レンズ支持枠に対物レンズが組み込まれている状態の正面図。
【図６】本発明に関する対物レンズ支持枠の対物レンズ取り付け面に略１８０°回転した対物レンズが組み込まれた状態の正面図。
【図７】本発明に関するファインダ装置斜視図。
【図８】本発明に関するファインダ装置分解斜視図。
【図９】本発明に関するカメラの斜視図。
【符号の説明】
１　ファインダ装置
１ａ　レンズ保持枠部のレンズ取り付け面（ＡＢ面）
２ａ，２ｂ　Ａ面突部
３ａ，３ｂ　Ｂ面突部
４　レンズ群ガイド部材
５　レンズ
５ａ，５ｂ　取り付け部
５ｃ，５ｄ　小判形状２辺直線部
５ｅ，５ｆ　小判形状Ｒ曲線部
【図１】
2004054011.tif 000003
【図２】
2004054011.tif 000004
【図３】
2004054011.tif 000005
【図４】
2004054011.tif 000006
【図５】
2004054011.tif 000007
【図６】
2004054011.tif 000008
【図７】
2004054011.tif 000009
【図８】
2004054011.tif 000010
【図９】
2004054011.tif 000011